(57)【要約】  ウインドハングオフ組立体および関連する方法が、関連するケーブルを関連する構造体に固定する。組立体は、多部品ハウジングを含み、この多部品ハウジングは、組み立てられると、対向する第１および第２の端部に、関連するケーブルを貫通させて受け入れる断面寸法を有する第１および第２の開口部を形成する。開口部は、内部空洞と連通する。多部品インサートが、ケーブルを貫通させて受け入れ、また、ハウジング空洞に受け入れられる寸法とされかつハウジングに対する運動に抵抗する、外側構造を有する。ヘリカルロッドが、ハウジング内に受け入れられる関連するケーブルの関連する部分上に受け止められる軸方向寸法を有する。組立体は、ハウジングを関連する構造体に動作的に取り付ける取付け部材をさらに含む。【選択図】図５
2021534723.tif 000002
【特許請求の範囲】
【請求項１】
関連するケーブルを関連する構造体に固定するためのウインドハングオフ組立体であって、
多部品ハウジングであって、組み立てられると、対向する第１および第２の端部に、前記関連するケーブルを貫通させて受け入れる断面寸法を有する第１および第２の開口部を形成し、前記開口部が、前記開口部の寸法よりも大きな断面寸法を少なくとも一部分に有する内部空洞と連通する、多部品ハウジングと、
多部品インサートであって、組み立てられると、前記ケーブルを貫通させて受け入れるように寸法決めされた通路を形成し、また、前記ハウジング空洞内に受け入れられる寸法とされかつ前記ハウジングに対する運動に抵抗する、外側構造を有する、多部品インサートと、
前記ハウジング内に受け入れられる前記関連するケーブルの関連する部分上に受け止められる軸方向寸法を有するヘリカルロッドと、
前記ハウジングを前記関連する構造体に動作的に取り付ける取付け部材と、
を備える、組立体。
【請求項２】
前記ハウジングが、同一の第１および第２のハウジング部分を含む、請求項１に記載の組立体。
【請求項３】
前記第１および第２のハウジング部分が、長手軸に沿って非対称であり、それにより、前記第１のハウジング部分および第２のハウジング部分が、互いに長手方向逆向きに配向されたときに嵌まり合うように係合する、請求項２に記載の組立体。
【請求項４】
前記第１および第２のハウジング部分が、組み立てられると、前記関連するケーブルの周辺の２分の１を囲む、請求項２または３に記載の組立体。
【請求項５】
前記ハウジングが、同一の第３および第４のハウジング部分を含む、請求項２〜４のいずれか一項に記載の組立体。
【請求項６】
前記第３および第４のハウジング部分が、長手軸に沿って非対称であり、それにより、前記第３のハウジング部分および前記第４のハウジング部分が、互いに長手方向逆向きに配向されたときに嵌まり合うように係合する、請求項５に記載の組立体。
【請求項７】
前記第３および第４のハウジング部分が、組み立てられたときに、前記関連するケーブルの周辺の２分の１を囲む、請求項５または６に記載の組立体。
【請求項８】
前記第１のハウジング部分、前記第２のハウジング部分、前記第３のハウジング部分、およびさらなるハウジング部分が、同一である、請求項５〜７のいずれか一項に記載の組立体。
【請求項９】
内表面部分が、前記ハウジングに対する前記多部品インサートの運動を制限するための滑り止め表面を含む、請求項１〜８のいずれか一項に記載の組立体。
【請求項１０】
前記取付け部材が、前記ハウジングの外表面にある第１および第２の径方向凹部の１つ内に受け入れられて前記組立体を前記関連する構造体に固定する２部品環状部材を含む、請求項１〜９のいずれか一項に記載の組立体。
【請求項１１】
前記ハウジングの第１の端部にノーズ部分をさらに備え、前記ノーズ部分が、末端から前記ハウジングに向かって寸法が増大するテーパ付けされた外表面を有する、請求項１〜１０のいずれか一項に記載の組立体。
【請求項１２】
前記ヘリカルロッドが、前記ハウジングの両端において前記関連するケーブルを囲んで全周に巻き付く、請求項１〜１１のいずれか一項に記載の組立体。
【請求項１３】
前記ヘリカルロッドが、前記多部品インサートに巻き付く、請求項１〜１２のいずれか一項に記載の組立体。
【請求項１４】
前記ハウジングが、前記ハウジングの第１の端部ではノーズ部分につながり前記ハウジングの第２の端部では曲げ歪み緩和部材につながる第１および第２の接続領域を、その両端部に含む、請求項１〜１３のいずれか一項に記載の組立体。
【請求項１５】
前記関連するケーブルに係合して前記関連するケーブルに牽引力を及ぼす継合部材をさらに備える、請求項１〜１５のいずれか一項に記載の組立体。
【請求項１６】
プラットフォームなどの関連する構造体に海中ケーブルを固定する方法であって、
第１および第２のインサート部分を前記海中ケーブルの外部領域上に位置決めするステップと、
前記インサート部分および前記海中ケーブル上にヘリカルロッドを巻くステップと、
少なくとも第１および第２のハウジング部分を前記ヘリカルロッド上に配置して、前記ハウジング部分により前記インサート部分を捕捉するステップと、
前記ハウジング部分に第１および第２の板部分を取り付けるステップと、
を含む、方法。
【請求項１７】
前記ハウジング部分の第１の端部にノーズ部分を取り付けるステップをさらに含む、請求項１６に記載の方法。
【請求項１８】
前記ハウジング部分の第２の端部に曲げ歪みリリーフを取り付けるステップをさらに含む、請求項１６または１７に記載の方法。
【請求項１９】
前記配置するステップが、前記第１のハウジング部分の長手方向配向を前記第２のハウジング部分に対して反転させることにより同一の第１および第２のハウジング部分を互いに固定するステップを含む、請求項１６〜１８のいずれか一項に記載の方法。
【請求項２０】
前記配置するステップが、同一の第３および第４のハウジング部分を互いにかつ前記第１および第２のハウジング部分に固定して前記ハウジングを完成させるステップを含む、請求項１９に記載の方法。
【請求項２１】
前記ハウジングの内部部分をグリット様材料で被覆するステップをさらに含む、請求項１６〜２０のいずれか一項に記載の方法。
【請求項２２】
前記グリット様材料が、プラズマ溶射によって貼り付けられる、請求項２１に記載の方法。
【請求項２３】
前記被覆するステップが、１００から４００μｍの間のサイズとされたグリット粒子を使用するステップを含む、請求項２１または２２に記載の方法。
【請求項２４】
前記グリットが、Ａｌ２Ｏ３である、請求項２１〜１３のいずれか一項に記載の方法。
【発明の詳細な説明】
【技術分野】
【０００１】
[0001]本出願は、２０１８年８月２１日に出願した米国特許仮出願第６２／７２０，５４２号と、２０１９年４月３日に出願した米国特許仮出願第６２／８２８，８６８の全開示の優先権を主張しかつそれを明示的に援用するものである。
【背景技術】
【０００２】
[0002]例えばＡＣベースのプラットフォームまたは海上プラットフォーム、風力タービン、などのような定置構造体にケーブルが固定される一部の海洋用途で使用される電力ケーブルおよび／または通信ケーブルなどの大径ケーブルを固定する、改善された方法および装置が必要とされている。
【０００３】
[0003]今日の固定組立体は、海上風力タービンまたはプラットフォームの基部近くに配置された管の入口を通して海中ケーブルを引っ張る。ケーブルを把持してプラットフォーム上へ引っ張り、そしてケーブルが管入口に吊されている間に予備の固定ステップが完了されることを可能にするために、「Ｋｅｌｌｅｍｓ」グリップが一般に使用される。例えば、典型的には、外側ケーブル被覆（ｏｕｔｅｒ  ｃａｂｌｅ  ｊａｃｋｅｔｉｎｇ）が、外側ケーブル被覆の下に電力／通信ケーブルとの周囲保護関係で配置される外装ワイヤ（ａｒｍｏｒ  ｗｉｒｅ）（ヘリカルロッドまたは補強ワイヤと呼ばれることもある）を露出させて外装ワイヤへのアクセスを可能にするために、剥ぎ取られる。外装ワイヤは、取付け板およびまたはインサートなどの間に固定されて固定プロセスを完了させるように、切断および再形成される。
【０００４】
[0004]理解されるであろうように、プロセスは複雑であり、かつ、完了するのにかなりの時間と技能を必要とする。さらに、知られているプロセスは、例えば海水の作用に起因してケーブルが動くときに、望ましい曲げ保護を提供しない。したがって、固定プロセス中に外側ケーブル被覆を剥いて外装ワイヤを終端処理する知られているクランピング構成に関連する問題を克服するハングオフクランプの設置を容易にしかつハングオフクランプの設置中の機械的係合を確実にすることが必要とされている。
【発明の概要】
【課題を解決するための手段】
【０００５】
[0005]関連するケーブルを関連する構造体に固定するためのウインドハングオフ組立体が、多部品ハウジングを含み、この多部品ハウジングは、組み立てられると、対向する第１および第２の端部に、関連するケーブルを貫通させて受け入れる断面寸法を有する第１および第２の開口部を形成する。開口部は、開口部の寸法よりも大きな断面寸法を少なくとも一部分に有する内部空洞と連通する。組み立てられるとケーブルを貫通させて受け入れるような寸法とされた通路を形成する多部品インサートが、ハウジング空洞内に受け入れられる寸法とされかつハウジングに対する運動に抵抗する、外側構造を有する。ヘリカルロッドが、ハウジングに受け入れられる関連するケーブルの関連する部分上に受け止められる軸方向寸法を有する。組立体は、ハウジングを関連する構造体に動作的に取り付ける取付け部材をさらに含む。
【０００６】
[0006]好ましい構成では、ハウジングは、同一の第１および第２のハウジング部分を含む。
[0007]１つの実施形態では、第１および第２のハウジング部分は、長手軸に沿って非対称であり、それにより、第１のハウジング部分および第２のハウジング部分は、互いに長手方向逆向きに配向されたときに、嵌まり合って係合する。
【０００７】
[0008]第１および第２のハウジング部分は、組み立てられると、関連するケーブルの周辺の２分の１を囲み得る。
[0009]好ましい実施形態では、ハウジングは、同一の第３および第４のハウジング部分を含む。
【０００８】
[0010]第３および第４のハウジング部分は、長手軸に沿って非対称とされてよく、それにより、第３のハウジング部分および第４のハウジング部分は、互いに長手方向逆向きに配向されたときに嵌まり合うように係合する。
【０００９】
[0011]好ましい構成では、第１のハウジング部分、第２のハウジング部分、第３のハウジング部分、およびさらなるハウジング部分は、同一である。
[0012]内表面部分が、ハウジングに対するインサートの運動を制限するための滑り止め表面を含むことが、好ましい。
【００１０】
[0013]好ましい実施形態では、取付け部材は、ハウジングの外表面にある第１および第２の径方向凹部のうちの１つに受け入れられて組立体を関連する構造体に固定する、２部品環状部材を含む。
【００１１】
[0014]ハウジングの第１の端部にノーズ部分が設けられてもよく、このノーズ部分は、末端からハウジングに向かって寸法が増大するテーパ付けされた外表面を有する。
[0015]ヘリカルロッドは、ハウジングの両端において関連するケーブルを囲んで全周に巻き付きかつ／または多部品インサートに巻き付くことができる。
【００１２】
[0016]好ましい構成では、ハウジングは、ハウジングの第１の端部ではノーズ部分につながりハウジングの第２の端部では曲げ歪み緩和部材につながる第１および第２の接続領域を、その両端部に含む。
【００１３】
[0017]組立体は、関連するケーブルに係合してその関連するケーブルに牽引力を及ぼす継合部材をさらに含み得る。
[0018]プラットフォームなどの関連する構造体に海中ケーブルを固定する方法が、第１および第２のインサート部分を海中ケーブルの外部領域上に位置決めするステップと、インサート部分および海中ケーブル上にヘリカルロッドを巻くステップと、少なくとも第１および第２のハウジング部分をヘリカルロッド上に配置して、ハウジング部分によりインサート部分を捕捉するステップと、第１および第２の板部分をハウジング部分に取り付けるステップと、を含む。
【００１４】
[0019]方法は、ハウジング部分の第１の端部にノーズ部分を取り付けるステップをさらに含み得る。
[0020]方法はまた、ハウジング部分の第２の端部に曲げ歪みリリーフを取り付けるステップを含み得る。
【００１５】
[0021]配置するステップは、第１のハウジング部分の長手方向配向を第２のハウジング部分に対して反転させることにより同一の第１および第２のハウジング部分を互いに固定するステップを含み得る。
【００１６】
[0022]配置するステップは、同一の第３および第４のハウジング部分を互いにかつ第１および第２のハウジング部分に固定してハウジングを完成させるステップを含むことが好ましい。
【００１７】
[0023]方法は、ハウジングの内部をグリット様材料で被覆するステップをさらに含むことができ、その場合、グリット様材料は、プラズマ溶射によって貼り付けられることが好ましい。
【００１８】
[0024]被覆するステップは、１００から４００μｍの間のサイズとされたグリット粒子を使用するステップを含み、グリットは、Ａｌ２Ｏ３であることが好ましい。
[0025]本開示の１つの利点は、陸上で組立体をケーブル上に設置することが可能になることである。
【００１９】
[0026]別の便益は、組立体ハウジングの小さなサイズにより、管、例えばＩ管またはＪ管の入口を通して組立体とともにケーブルを引っ張ることが可能になることにある。
[0027]ケーブルの外側被覆は無傷のままとされることから、外装ワイヤを曲げる必要がなくなり、また、ケーブルを剥くことも必要とされないので、設置はより迅速である。
【００２０】
[0028]本組立体はまた、いったんケーブルがＪ管開口部を通して所定の位置に引っ張られれば組立体が容易に設置されるので、いかなる一時的なハングオフの必要性を排除する。
【００２１】
[0029]追加的な外部外装ロッドを追加することにより、さらなる曲げ抵抗が提供される。
[0030]ハウジングの分割セクションまたは分割部分の使用により、設置はより簡単である。
【００２２】
[0031]設置には、最小限の訓練しか必要とされない。
[0032]組立体はまた、所望されるのであれば、入口ノーズコーンおよび／または曲げ歪みリリーフの追加によってカスタマイズ可能である。
【００２３】
[0033]なおも別の便益は、組立体に継合される最終構成要素である取付け板を単に変更することにより同じハウジングを複数のＪ管サイズに使用することができる適応性にある。
【００２４】
[0034]本開示のさらなる他の利点および便益は、以下の詳細な説明を読みかつ理解することからより明らかになるであろう。
【図面の簡単な説明】
【００２５】
【図１】[0035]関連する構造体にケーブルを固定するためのハングオフ組立体内に封入されたケーブルの一部分の斜視図である。
【図２】[0036]ケーブルを把持しかつ引っ張る従来の１つの方法を示す、図１に類似した斜視図である。
【図３】[0037]ケーブルを把持しかつ引っ張る代替的な事態を示す、ハングオフ組立体の一部分の拡大された斜視図である。
【図４】[0038]ハングオフ組立体の個々の構成要素の拡大された斜視図である。
【図５】[0039]ケーブルを立面図で示す、ハングオフ組立体の個々の構成要素の長手方向断面図である。
【図６】[0040]第１のハウジング部分の外部表面の斜視図である。
【図７】[0041]図６の第１のハウジング部分の内側表面の斜視図である。
【図８】[0042]一緒に固定された同一の第１および第２のハウジング部分の斜視図である。
【図９】[0043]さらなる封止のためにパッキンを特に使用する取付板部分の斜視図である。
【図１０】[0044]組立体内の所定の位置に固定された図９の取付板部分の図である。
【図１１】[0045]図９および１０の取付板部分のなおもさらなる拡大図である。
【図１２】[0046]取付板部分の下側、ならびに全体重量を減少させかつより速い構成要素へのアクセスを提供するための除去材料を示す図である。
【図１３】[0047]組み立てられた構造体を示す図である。
【図１４】[0048]図１３の組立体の拡大図である。
【図１５】[0049]ウインドハングオフが固定されるケーブルを示す図である。
【図１６】[0050]ウインドハングオフの構成要素をケーブルに組み付ける方法におけるステップを示す図である。
【図１７】ウインドハングオフの構成要素をケーブルに組み付ける方法におけるステップを示す図である。
【図１８】ウインドハングオフの構成要素をケーブルに組み付ける方法におけるステップを示す図である。
【図１９】ウインドハングオフの構成要素をケーブルに組み付ける方法におけるステップを示す図である。
【図２０】ウインドハングオフの構成要素をケーブルに組み付ける方法におけるステップを示す図である。
【図２１】ウインドハングオフの構成要素をケーブルに組み付ける方法におけるステップを示す図である。
【発明を実施するための形態】
【００２６】
[0051]添付の図面に関連する以下の説明は、特許請求の範囲およびそれらの均等物によって定められるような本開示の１つまたは複数の実施形態の包括的な理解を助けるために提供されるものである。説明にはその理解を助けるための様々な具体的詳細が含まれるが、それらは単に例示的なものと見なされるべきである。したがって、当業者は、本開示の範囲および趣旨から逸脱することなく、本明細書において説明される種々の実施形態の様々な変更および修正がなされ得ることを認識するであろう。本開示の種々の例示的な実施形態は、様々な実施形態の具体的詳細に限定されるものではなく、添付の特許請求の範囲に記載の着想および技術的範囲に含まれるあらゆる変更および／または均等物もしくは代用物を含むものと解釈されるべきである。図面を説明する際に、可能であれば、類似の要素に対して類似の参照番号が使用される。
【００２７】
[0052]本開示において使用される「含む（ｉｎｃｌｕｄｅ）」、「有する（ｈａｖｅ）」、「含み得る（ｍａｙ  ｉｎｃｌｕｄｅ）」、または「有し得る（ｍａｙ  ｈａｖｅ）」という用語は、開示された対応する機能、動作、要素、などの存在を示すものであり、追加的な１つまたは複数の機能、動作、要素、などを制限するものではない。さらに、本開示において使用される「含む（ｉｎｃｌｕｄｅ）」、「含んでいる（ｉｎｃｌｕｄｉｎｇ）」、「有する（ｈａｖｅ）」、または「有している（ｈａｖｉｎｇ）」という用語は、本明細書において説明される構成要素、特徴、数字、ステップ、動作、要素、部品、またはそれらの組合わせの存在を示すためのものであり、１つまたは複数の他の特徴、数字、ステップ、動作、要素、部品、もしくはそれらの組合わせの存在または追加を排除するものではないことが、理解されるべきである。
【００２８】
[0053]本開示において使用される「または（ｏｒ）」あるいは「Ａおよび／またはＢのうちの少なくとも１つ（ａｔ  ｌｅａｓｔ  ｏｎｅ  ｏｆ  Ａ  ａｎｄ／ｏｒ  Ｂ）」という用語は、それらの用語とともに列挙される語のあらゆる組合わせを含む。例えば、「ＡまたはＢ」あるいは「Ａおよび／またはＢのうちの少なくとも１つ」は、Ａを含むこと、Ｂを含むこと、またはＡとＢの両方を含むことを意味する。
【００２９】
[0054]本開示において使用される「第１の（ｆｉｒｓｔ）」および「第２の（ｓｅｃｏｎｄ）」などの用語は、様々な例示的な実施形態の種々の要素を修飾し得るが、これらの用語は、対応する要素を限定するものではない。例えば、これらの用語は、対応する要素の序列および／または重要性を限定するものではなく、また、追加の要素（例えば、第２の、第３の、など）を排除するものでもない。これらの用語は、１つの要素を別の要素と区別するために使用され得る。例えば、第１の機械デバイスおよび第２の機械デバイスは、全て、機械デバイスを示し、また、異なるタイプの機械デバイス、または同じタイプの機械デバイスを示し得る。例えば、第１の要素が、本開示の種々の例示的な実施形態の範囲から逸脱することなく、第２の要素に指名される場合があり、同様に、第２の要素が、第１の要素に指名される場合がある。
【００３０】
[0055]ある要素が別の要素に「接続されて（ｃｏｎｎｅｃｔｅｄ）」いるまたは「連結されて（ｃｏｕｐｕｌｅｄ）」いると言及される場合、その要素は別の要素に直接に接続または連結されていてもよく、またはその要素と別の要素との間に介在要素が存在してもよいことが、理解されるであろう。反対に、ある要素が別の要素に「直接に接続されて（ｄｉｒｅｃｔｌｙ  ｃｎｎｅｃｔｅｄ）」いるまたは「直接に連結されて（ｄｉｒｅｃｔｌｙ  ｃｏｕｐｌｅｄ）」いるものとして言及される場合、その要素と別の要素との間には介在要素が存在しないことが、理解されるであろう。
【００３１】
[0056]本開示の種々の例示的な実施形態において使用される用語は、単に特定の例示的な実施形態を説明する目的のためのものであって、本開示の種々の例示的な実施形態を限定するようには意図されていない。本明細書において使用される場合、単数形は、文脈から明らかにそうでないことが示されていなければ、複数形も含むことが意図されている。
【００３２】
[0057]技術上または科学上の用語を含む、本明細書において使用される用語の全ては、そうでないことが定義されていない限り、当業者によって一般に理解されるのと同じ意味を有する。一般に使用される辞書において定義される用語は、関連する技術の文脈的意味と同じ意味を有するものとして解釈されるべきであり、また、種々の例示的な実施形態において明確に定義されていない限り、矛盾したまたは誇張された意味を有するものとして解釈されるべきではない。
【００３３】
[0058]最初に図１〜３を参照すると、中および高電圧電力ケーブルならびに／または通信ケーブルなどの（本明細書では海中ケーブルと呼ばれることもある）大直径ケーブルＣを定置式風力タービンもしくは浮き風力タービンまたは他の海上プラットフォームなどの関連する構造体Ｓに固定するための装置または組立体１００が示されている。固定組立体１００は、一般に、ウインドハングオフと呼ばれる。組立体１００がケーブルＣ上に（典型的には、分割板構成要素を伴わずに）受け止められるときに、ケーブル上に部分的に組み立てられた装置とともにケーブルを関連する構造体（タービンまたはプラットフォーム）に対する所定の位置まで引っ張るために、把持または引張りデバイス１０２が使用される（図２）。例えば、把持または引張りデバイス１０２は、Ｋｅｌｌｕｍｓグリップ（図２）であり得るが、本開示の範囲および意図から逸脱することなく、代替的なデバイスが使用されてもよい。１つの例示的な代替的構造は、引張りまたは把持デバイスを容易に固定することができる、組立体１００の外部表面からアクセス可能な輪鉤または類似のデバイスの提供である（図３）。
【００３４】
[0059]組立体１００の詳細は、図４および５により具体的に示されている。具体的には、多部品インサート１１０が、所望の軸方向位置においてケーブルの周辺または周囲を囲んで組み立てられる。インサート１１０は、２つ以上のインサート部分１１０ａ、１１０ｂ、などであってよく、これらのインサート部分は、組み立てられたときに、各インサート部分がケーブルＣの周囲を囲んで同じ軸方向位置に位置決めされ得るように、軸方向または長手方向に互いに分割される。繰り返すが、ケーブルＣは、剥かれるまたは開かれるのではなく、むしろ、インサート部分が、ケーブルの外部表面の周りに受け止められる。各インサート部分は、在庫目録を少なくしかつ組立ての容易さを提供するために、同じように成形されることが好ましい。この特定の事例では、各インサート部分１１０は、球根状の構成、すなわち、中央領域における径方向に厚くなった部分と、その両端部におけるより薄い部分とを有するが、本発明の以下の詳細を読みかつ理解することからより明らかになるであろうように、他の（軸方向の力に対する抵抗力を提供するように成形された）構成が、同様に首尾良く使用され得る。
【００３５】
[0060]インサート１１０ａ、１１０ｂがケーブルＣの周りに組み立てられると、ヘリカルロッドまたは外装線１２０が、ケーブルＣの被覆の外部表面およびインサート１１０上で所定の位置に位置決めされる。インサート１１０は、ヘリカルロッド１２０の軸方向長手方向長さ内でほぼ中心に置かれることが好ましい。ヘリカルロッド１２０は、ケーブルＣに外側の把持力を及ぼす。ケーブル被覆の全周囲がヘリカルロッド１２０のセットによって取り囲まれることが、好ましい。さらに、ヘリカルロッド１２０は、ハウジングの両端からロッドが延在することを可能にする長さを有することが好ましく、また、組立体１００の対向する軸方向端部に、また以下で説明されるように配置される引込コーンおよび曲げ歪み緩和構造のいずれかの外側末端部からロッドが延在することを可能にする長さを有することがより好ましい。
【００３６】
[0061]インサート１１０およびヘリカルロッド１２０がケーブル上に位置決めされると、多部品ハウジング１３０が、インサートおよびヘリカルロッド上に位置決めされる。ハウジング１３０は、少なくとも２つのハウジング部分（各ハウジング部分がケーブルＣ、インサート１１０、およびヘリカルロッド１２０の周辺のおおよそ２分の１を覆う場合、第１のハウジング部分１３０ａおよび第２のハウジング部分１３０ｂ）から形成されることが好ましい。好ましい構成では、４つのハウジング部分１３０ａ、１３０ｂ、１３０ｃ、１３０ｄが設けられ、各ハウジング部分は、ケーブルＣの周辺のおおよそ４分の１を覆う。各ハウジング部分は、他のハウジング部分と同一である。交互にならぶハウジング部分１３０の端と端との配向を反転させることにより、ハウジング部分は、ケーブル、インサート、およびヘリカルロッドの外周の周りに完全なハウジングを組み立てるために、一緒に固定され得る。図６および７に特に示されるように、各ハウジング部分は、ハウジングの４分の１を形成する。ねじ付きボルトなどの締結具１２８が、第１の貫通開口部１３２のセットを通して受け入れられ、また、第２の雌ねじ付き開口部１３４のセットが、第１の開口部のセットから軸方向に離間されるが、隣り合う反転されたハウジング部分が芽接係合（ｂｕｄｄｉｎｇ  ｅｎｇａｇｅｍｅｎｔ）されると、第１のハウジング部分上の第１の開口部１３２のセットは、第２のハウジング部分の第２の雌ねじ付き開口部１３４のセットに揃えられる。これは、締結具が第１のハウジング部分１３０ａ内の第１の開口部１３２を通過して第２のハウジング部分１３０ｂのねじ付きの第２の開口部１３４に螺合することを可能にする。このようにして、製造および棚卸しの容易さのために、単一のハウジング部分が反復して使用され、また、ケーブルＣの周囲で１つおきのハウジング部分の長手方向配向を交互させることにより、ケーブルの周辺全部が組立体１００によって囲まれる。
【００３７】
[0062]また、図７で明らかなように、ハウジング部分の内部構造は、球根状構成１３６、すなわち、中央領域における径方向に拡大された空洞部分と、その両端部における径方向に縮小された部分とを含むが、他の（軸方向の力に対する抵抗力を提供するように成形された）構成が、同様に首尾良く使用され得る。ハウジング部分の全てが組み立てられると、内部空洞１３６は、インサートの形状に一致して、ケーブルＣ、インサート１１０、およびヘリカルロッド１２０を寸法的に受け入れる。空洞の球根状形状１３６は、ハウジング１３０に対するケーブルインサート１１０およびヘリカルロッド１２０の相対的な軸方向運動を抑える。さらに、場合により、グリット１３８が、ハウジングに対する滑り止め特性を強化するために、好ましくは球根状部分に沿って内側表面に貼り付けられ得る。グリットは、ハウジング部分の内表面上に被覆として貼り付けられ得る粒子状物質であることが好ましい。例として、グリットは、プラズマ溶射によって貼り付けられてもよく、また、１つの好ましい構成では、粒子状Ａｌ２Ｏ３であり、この場合、平均格子粒径（ａｖｅｒａｇｅ  ｇｒｉｄ  ｐａｒｔｉｃｌｅ  ｓｉｚｅ）は、おおよそ１００から４００μｍに及ぶ。
【００３８】
[0063]組み立てられたハウジング部分の外部表面は、軸方向に離間されかつ周方向に連続した４つの凹部１４０、１４２、１４４、１４６を有することが好ましい。第１の凹部１４０が、可撓性の曲げ歪みリリーフ１５０（図２）構造を追加するために設けられ、例えば、曲げ歪みリリーフの径方向に延在する部分１５２が、凹部に受け入れられて、軸方向の接続、および引抜きに対する抵抗を強化する。同様に、ハウジング部分の対向する端部にある第４の凹部１４６は、円錐形の引込部材１６０（図５）と協働する。この場合もやはり、引込部材１６０の径方向に延在する部分１６２が、第４の凹部１４６に受け入れられ、したがって、機械的係合、および引き抜く力に対する抵抗を強化する。
【００３９】
[0064]これまで説明された組立体１００は、ケーブルＣの軸方向長さに沿った所望の位置に前もって完成され得る。次いで、図２および３に関連して示された把持デバイス１０２を装置１００およびケーブルＣに固定することができ、装置が定置構造体Ｓ、風力タービン、または海上プラットフォーム上の所望の位置に位置決めされると、多部品取付板１７０が第２の周方向凹部１４２および第３の周方向凹部１４４のうちの一方に受け入れられて、Ｊ管に固定される。
【００４０】
[0065]要するに、このケーブル保持装置および方法は、水の外での垂直的な用途において使用される大ケーブルを固定し、それによりケーブルを構造体、すなわち風力タービン、海上プラットフォーム、または類似の構造体の入口管に恒久的に取り付けるために設計された。ケーブルの被覆上に受け止められたヘリカル外装ロッド１２０によるケーブルＣの外側把持は、ケーブルを剥くことまたは下処理することなしに組立体が陸上で予め設置されることを可能にする。次いで、本組立体は、Ｋｅｌｌｅｍｓグリップまたは他の適切な把持もしくは引張り構造１０２を用いて同様に引っ張られ、風力タービンプラットフォームに入ると、ロッキング板１７０は、ハウジング１３０の周りに容易にかつ迅速に取り付けられ、組立体１００を完成させて、構造体Ｓへの海中ケーブルCの確実な接続を実現する。外部のヘリカルロッドまたは外装ロッド１２０もまた、海水ケーブル運動からの追加的な曲り保護を提供する。
【００４１】
[0066]さらなる変更形態が、図９〜１４に示されている。例えば、引込コーンは、ケーブルハングオフを通じて空気／水が入ってくるのを防ぐために、コーンをハウジングおよびケーブル被覆に封着する能力を提供するように延長されている（図１３〜１４）。
【００４２】
[0067]多部品取付板または分割取付板の平坦な端面上に示されるように、さらなる封止のために、金属ハウジング部品間にパッキンも設けられ得る（図９〜１１）。
[0068]セグメント化された分割ＢＳＲ、または１つの部品がより長い分割ＢＳＲが、オプションとしてハウジングの底部に沿って使用され得る。
【００４３】
[0069]ＢＳＲおよび引込コーンは、熱伝導性ウレタン／一般に使用されるウレタンの通常の絶縁特性によって捕捉される熱を排除する他の材料から成形され得る。熱伝導性ウレタン／他の材料は、窒化ホウ素、アルミナ、またはこれらのウレタンには通常見られない他の類似の添加物などの、熱伝導性向上物および改良物を有する。熱伝導性は、電気絶縁を有利に維持しながら向上される。
【００４４】
[0070]金属からＢＳＲセグメントを作るのと同様に、導電性材料も使用され得る。
[0071]図１２に示された取付板に示されるように、選択された構成要素からさらなる重量を除去することもできる。締結具の導入を容易にするためのアクセスをなおも可能にしながら、構造により十分な剛性が維持される。
【００４５】
[0072]図１５〜２１は、ウインドハングオフの好ましい組立方法を示す。具体的には、ケーブルは、図１５に示され、また、例えばサイズが５０ｍｍから２００ｍｍのケーブルに及ぶ様々な直径のものであり得るが、これらの寸法は限定的なものと見なされるべきではない。２つ以上のインサートが、ケーブルの周りに組み立てられて、収縮包装構成要素、テープ、などにより、所定の位置に一時的に保持される（図１６）。第１のヘリカル補強ロッドのセットが、ケーブルおよび組み立てられたインサートの周りに設置される（図１７）。次いで、図１８および図１９に示されるように、追加のヘリカル補強ロッドが組み立てられ、それにより、円周範囲全体がヘリカル補強ロッドによって囲まれる。その後、ハウジング１３０（ここでは２つのハウジング部分または半体として示される）が、ケーブルの周りに位置決めされ、より具体的には、ハウジング／ハウジング部分内に形成された空洞の球根状形状がケーブルの外部表面上にすでに設置されたインサートを覆って位置合わせされるように、位置決めされる。次いで、ボルトなどの締結具が、ヘリカル補強ロッド上でのハウジングの組立てを完了するために設置されて締め付けられる。
【００４６】
[0073]得られる構造は、適切な判断の上でステンレス鋼またはＤｕｐｌｅｘを使用することにより、優れた耐腐食性を示す。構造体は、Ｊ管内に引っ張り入れるのに先立ってケーブルに組み付けることができる。外部のヘリカル補強ロッド、および、曲げに対する追加的な保護はまた、残りの構造と協働して、高い可搬重量を提供する。外部のステンレス鋼ロッドを使用することにより、所望の曲り保護が提供されるが、分割フリンチマウント（ｓｐｌｉｔ  ｆｌｉｎｃｈ  ｍｏｕｎｔ）は、組立体が所定の位置まで引っ張られて迅速に固定されることを可能にする。エポキシを含まないシールドパッキン構成も設置時間を短縮し、タービンにあるときのヘリカル補強ロッドの設置の排除もまた、設置時間を短縮する。
【００４７】
[0074]この記述は、最良の形態を含めて、本開示を説明するために、また、いかなる当業者にも本開示を製造し使用することを可能にするために、例を使用する。当業者に思い浮かぶ他の例は、それらの例が同じ概念と異ならない構造要素を有する場合、またはそれらの例が実質的な差違のない均等な構造要素を含む場合には、本発明の範囲内にあることが意図されている。
【図１】
2021534723.tif 000003
【図２】
2021534723.tif 000004
【図３】
2021534723.tif 000005
【図４】
2021534723.tif 000006
【図５】
2021534723.tif 000007
【図６】
2021534723.tif 000008
【図７】
2021534723.tif 000009
【図８】
2021534723.tif 000010
【図９】
2021534723.tif 000011
【図１０】
2021534723.tif 000012
【図１１】
2021534723.tif 000013
【図１２】
2021534723.tif 000014
【図１３】
2021534723.tif 000015
【図１４】
2021534723.tif 000016
【図１５】
2021534723.tif 000017
【図１６】
2021534723.tif 000018
【図１７】
2021534723.tif 000019
【図１８】
2021534723.tif 000020
【図１９】
2021534723.tif 000021
【図２０】
2021534723.tif 000022
【図２１】
2021534723.tif 000023
【国際調査報告】
2021534723.tif 000024
2021534723.tif 000025
2021534723.tif 000026